(57)【要約】      （修正有）【課題】１つのジョブのシートの排出が終了しなくても、シート積載手段に積載されたシートを取り出すことができるようにする。【解決手段】シート処理装置４００は、外部からシートが送り込まれる搬入ローラ対１５に送り込まれたシートを分岐案内する上段、下段搬送排出経路６２，６３と、上段、下段搬送排出経路の終端６２ａ，６３ａ毎に配設されて、終端から排出されたシートが積載される昇降可能な複数の上段、下段積載トレイ１８，３７と、上段、下段搬送排出経路の分岐部６４で切り替え動作によって上段、下段搬送排出経路を選択する切替部材１３と、切替部材を手動操作により切り替えるトレイ切替スイッチ８０と、を備えている。シート処理装置は、１つのジョブのシートの積載が終了する前に、上段積載トレイからシートを取り出したい場合、切替手段を切り替えて、シートを下段積載トレイに積載することができる。【選択図】図２
2009120334.tif 000002
【特許請求の範囲】
【請求項１】
外部からシートが送り込まれる搬入口と、
前記搬入口に送り込まれたシートを分岐案内する分岐パスと、
前記分岐パスの終端毎に配設されて、前記終端から排出されたシートが積載される昇降可能な複数のシート積載手段と、
前記分岐パスの分岐部で切り替え動作によって前記分岐パスを選択する切替手段と、
前記切替手段を手動操作により切り替える操作手段と、を備えた、
ことを特徴とするシート処理装置。
【請求項２】
シートに画像を形成する画像形成手段と、
前記画像形成手段によって画像を形成されたシートを積載するシート処理装置と、を備え、
前記シート処理装置は、請求項１に記載のシート処理装置である、
ことを特徴とする画像形成装置。
【発明の詳細な説明】
【技術分野】
【０００１】
本発明は、画像形成装置の装置本体から送り出されたシートを積載するシート処理装置と、このシート処理装置を備えた画像形成装置とに関する。
【背景技術】
【０００２】
従来、複写機、プリンタ、複合機等の画像形成装置は、装置本体に、装置本体から排出されるシートを積載するシート処理装置を備えていることがある。このようなシート処理装置は、シートが積載されるシート積載手段としての積載トレイを昇降可能に複数段備えている（特許文献１）。
【０００３】
【特許文献１】特開２００５−３５０１８９号公報
【発明の開示】
【発明が解決しようとする課題】
【０００４】
しかし、従来のシート処理装置は、１つのジョブのシートをシート排出口から連続して排出して積載トレイに積載している途中で、大量のシートを取り除くと、シート排出口と積載トレイとの間隔が一時的に広くなることがあった。このため、続いて排出されるシートの落下距離が長くなり積載整合性が低下することがあり、シートは、ジョブの終了を待って取り出されることが多かった。また、１つのジョブのシートが連続して排出されているとき、積載トレイに積載されているシートを取り出すのが困難であった。
【０００５】
本発明は、１つのジョブのシートの排出が終了しなくても、シート積載手段に積載されたシートを取り出すことが可能なシート処理装置を提供することを目的としている。
【課題を解決するための手段】
【０００６】
本発明のシート処理装置は、外部からシートが送り込まれる搬入口と、前記搬入口に送り込まれたシートを分岐案内する分岐パスと、前記分岐パスの終端毎に配設されて、前記終端から排出されたシートが積載される昇降可能な複数のシート積載手段と、前記分岐パスの分岐部で切り替え動作によって前記分岐パスを選択する切替手段と、前記切替手段を手動操作により切り替える操作手段と、を備えている。
【０００７】
本発明の画像形成装置は、シートに画像を形成する画像形成手段と、前記画像形成手段によって画像を形成されたシートを積載するシート処理装置と、を備え、前記シート処理装置は、上記のシート処理装置である。
【発明の効果】
【０００８】
本発明のシート処理装置は、操作手段によって、切替手段を切り替えて、他のシート積載手段に後続のシートを積載できるようになっている。したがって、本発明のシート処理装置は、１つのジョブのシートの積載が終了する前に、シート積載手段からシートを取り出したい場合、切替手段を切り替えて、シートを他のシート積載手段に積載することができる。
【０００９】
よって、本発明のシート処理装置は、任意のタイミングでシートの整合性を乱すことなくシートを容易に取り出すことができるようになっている。
【００１０】
さらに、本発明のシート処理装置は、切替手段を切り替えることによって、複数のシート積載手段に順次連続してシートを積載することができて、積載処理効率を高めることができる。
【００１１】
本発明の画像形成装置は、積載処理効率を高めることができるシート処理装置を備えているので、画像形成効率を高めることができる。
【発明を実施するための最良の形態】
【００１２】
以下、本発明の実施形態のシート処理装置、及びこのシート処理装置を装置本体に備えた画像形成装置とを図に基づいて説明する。
【００１３】
図１は、本発明のシート処理装置を装置本体に備えた画像形成装置の一例である複写機の概略正面断面図である。なお、画像形成装置には、複写機、ファクシミリ、プリンタ及びこれらの複合機等がある。したがって、本発明のシート処理装置は複写機の装置本体以外の装置にも接続されるものである。また、シート処理装置は、画像形成装置の装置本体外に接続されているが、装置本体内に組み込まれていてもよい。
【００１４】
（複写機）
複写機５０１は、リーダ部１００、プリンタ部２００、シート処理装置４００等で構成されている。複写機５０１の上部には、原稿を１枚ずつプラテンガラス１０２上に供給する自動原稿供給装置３００を設けてある。この自動原稿供給装置３００は必ずしも設ける必要がなく、ユーザが原稿をプラテンガラス１０２に直接置いてもよい。複写機５０１の装置本体５０１Ａの脇には、複写機５０１の装置本体５０１Ａから排出されたシートを整合するシート処理装置４００を接続してある。
【００１５】
リーダ部１００は、原稿を画像データに変換するようになっている。プリンタ部２００は、プリント命令により画像データをシートに可視像として形成するようになっている。
【００１６】
リーダ部１００は、自動原稿供給装置３００によって、原稿をプラテンガラス１０２上の所定の位置に搬送して、その所定の位置を通過させながら、その所定の位置に停止させてあるスキャナユニット１０４のランプ１０３の光を原稿に照射する。或いは、リーダ部１００は、ユーザが自動原稿供給装置３００を開いてプランテンガラス１０２に載置した原稿に、図１において左右方向に移動するスキャナユニット１０４のランプ１０３の光を原稿に照射する。
【００１７】
原稿からの反射光は、ミラー１０５，１０６，１０７、及びレンズ１０８を通ってＣＣＤイメージセンサ部１０９に入力される。ＣＣＤイメージセンサ部１０９に照射された原稿の反射光は、ＣＣＤイメージセンサ部１０９で光電変換等の電気処理が行われ、通常のデジタル処理が施される。その後、これらの画像信号はプリンタ部２００に入力される。
【００１８】
プリンタ部２００に入力された画像信号は、露光制御部２０１で変調されて光信号に変換されて、画像形成手段である例えば感光ドラム２０２を照射する。この照射光によって感光ドラム２０２上に作られた潜像は、現像器２０３によってトナー現像されて、トナー画像となる。そして、トナー画像の先端とタイミングを合わせて、シートカセット２０４，２０５の一方からシートが搬送されて、転写部２０６で上記トナー画像がシートに転写される。この転写されたトナー画像は、定着部２０７でシートに定着される。トナー画像を定着されたシートは、パス２１４をへて、シート排出部２０８から、複写機５０１の装置本体５０１Ａの外部に排出される。
【００１９】
シートを裏返しにして外部に排出する場合、シートは、切替部材２０９，２１７の切り替え動作と、パス２１５の案内によって、裏返しにして排出される。両面に画像を形成する場合、シートは、切替部材２０９，２１７，２１８、スイッチバックパス２１２によって表裏反転され、復路パス２１０によって、再度、感光ドラム２０２と転写部２０６との間に送り込まれて、他方の面にも画像が形成される。
【００２０】
画像を形成されたシートは、シート処理装置４００に送り込まれて、シート処理装置４００で側端部を整合される。
【００２１】
（シート処理装置）
図２は、本発明の実施形態におけるシート処理装置のシート搬送方向に沿った断面図である。
【００２２】
シート処理装置４００は、図１に示すように、複写機５０１の装置本体５０１Ａの側部に備え付けられて、上段積載トレイ１８と下段積載トレイ３７とを備えている。
【００２３】
複写機５０１の装置本体５０１Ａからシート処理装置４００の搬入ローラ対１５に送り込まれて、上段積載トレイ１８へ排出されるシートは、上段搬送排出経路６２を搬送される。
【００２４】
搬送用駆動モータ６の回転軸に接続されたタイミングベルト５を介して連結ギア４によりさらにタイミングベルト３によって駆動する複数の上段入口ローラ１と、これに従動回転する従動ころ２は、シートを搬送する。続いて、駆動モータ７、タイミングベルト８、連結ギア９、タイミングベルト１０を介して、回転する複数の上段排紙ローラ１１と、これに従動回転する従動ころ１２とがシートを搬送する。
【００２５】
上段入口ローラ１の上流側には入口センサＳ１が設けられている。入口センサＳ１は、搬送されてくるシートの先端と後端を検知するようになっている。入口センサＳ１の下流側直後には、切替部材１３が配設されている。切替部材１３は、上段搬送排出経路６２と下段搬送排出経路６３との分岐部６４に軸１３ａによって回動自在に設けられている。切替部材１３は、三角形に形成されて、三角形の先端が搬入ローラ対１５側に向いている。
【００２６】
切替部材１３は、初期状態において、三角形の先端が下向きになっており、下段搬送排出経路６３を塞いで、シートを上段搬送排出経路６２に案内するようになっている。そして、ユーザが後述するトレイ切替スイッチ８０を作動させると、駆動用のソレノイド１４が作動して、切替部材１３は、先端が上向きになり、上段搬送排出経路６２を塞いで、シートを下段搬送排出経路６３に案内する。再度、ユーザが、トレイ切替スイッチ８０を作動させると、切替部材１３は、下段搬送排出経路６３を塞いで、シートを上段搬送排出経路６２に案内するようになる。このように、切替部材１３は、上段搬送排出経路６２と下段搬送排出経路６３とを選択的に切り替えて、シートを上段積載トレイ１８と下段積載トレイ３７とに選択的に案内するようになっている。
【００２７】
上段排紙ローラ１１の上流側には上段排紙センサＳ２が設けられている。上段排紙センサＳ２は、シートの先端と後端を検知するようになっている。上段排紙ローラ１１より排出されるシートは、後端の位置を上段排紙センサＳ２によって検知される。すると、上段ソレノイド１６が作動して不図示のクラッチによって従動プーリ７０の回転を上段パドル１７に伝達するようにする。上段パドル１７が回転し始める。従動プーリ７０は、連結ギア９によって循環するタイミングベルト１０によって回転する。
【００２８】
このとき、シートの後端は、すでに、上段排紙ローラ１１を抜けている。上段パドル１７は、上段積載トレイ１８に落下されたシートを、上段ローレットベルト１９と上段積載トレイ１８との間に送り込む。上段ローレットベルト１９は、弾性を備えたリング状のゴム製品、樹脂製品である。上段ローレットベルト１９は、タイミングベルト１０によって上段排紙ローラ１１とともに、既に回転しており、シートを積載壁部２０に突き当てて、シートの後端を揃える。シートは、上段ローレットベルト１９の近傍にあるため、確実に引き込まれて、後端部を整合される。この後、シートの搬送方向に沿った端部、すなわちシートの側端部の整合動作が行われる。側端部の整合動作は後述する。なお、シートの後端部の整合は、シートの側端部側の整合の後で行ってもよい。
【００２９】
複写機５０１の装置本体５０１Ａからシート処理装置４００の搬入ローラ対１５に送り込まれて、下段積載トレイ３７へ排出されるシートは、下段搬送排出経路６３を搬送される。
【００３０】
入口センサＳ１がシートの先端を検知すると、駆動モータ６が始動する。駆動モータ６、タイミングベルト５、連結ギア４により回転する、シートの幅方向に複数設けられた下段入口ローラ２１と、これに従動回転する従動ころ２２は、シートを搬送する。続いて、下段入口ローラ２１によりタイミングベルト２３を介して駆動回転する縦パス第１ローラ２４と、これに従動回転する従動ころ２５は、シートを引き続いて搬送する。
【００３１】
縦パス第１ローラ２４によりタイミングベルト２６を介して駆動回転する、シートの幅方向に複数設けられた縦パス第２ローラ２７と、これに従動回転する従動ころ２８は、シートをさらに搬送する。上段排紙ローラ１１によりタイミングベルト２９を介して駆動回転する、シートの幅方向に複数設けられた下段排紙ローラ３０と、これに従動回転する従動ころ３１は、シートを搬送する。
【００３２】
縦パス第１ローラ２４の上流側には縦パス第１センサＳ３が配設されている。縦パス第２ローラ２７の上流側には縦パス第２センサＳ４が配設されている。下段排紙ローラ３０の上流側には下段排紙センサＳ５が配設されている。各センサＳ３，Ｓ４，Ｓ５は、シートの先端及び後端を検知するようになっている。
【００３３】
下段排紙センサＳ５がシートの後端を検出する。下段排紙センサＳ５のシート検知動作に基づいて、下段ソレノイド３３が作動して不図示のクラッチによって従動プーリ７１の回転を下段パドル３４に伝達するようにする。下段パドル３４が回転し始める。このとき、シートの後端は、すでに、下段排紙ローラ３０を抜けている。下段パドル３４は、下段積載トレイ３７に落下されたシートを下段ローレットベルト３６と下段積載トレイ３７との間に送り込む。下段ローレットベルト３６は、リング状の弾性を備えたゴム製品、樹脂製品である。下段ローレットベルト３６は、下段排紙ローラ３０とアイドラプーリ６５とに掛け渡したタイミングベルト３５によって下段排紙ローラ３０とともに、既に回転しており、シートを積載壁部３８に突き当てて、シートの後端を揃える。シートは、下段ローレットベルト３６の近傍にあるために確実に引き込まれて、後端部を整合される。この後、シートの搬送方向に沿った端部、すなわちシートの側端部の整合動作が行われる。側端部の整合動作は後述する。なお、シートの後端部の整合は、シートの側端部整合の後に行ってもよい。
【００３４】
上段積載トレイ１８は、上段トレイ昇降モータ５６によって昇降するようになっている。上段トレイ昇降モータ５６が回転すると、タイミングベルト５８によってウォームギア５０が回転して、ウォームホイール５１が回転し、上段タイミングベルト５４が循環する。そして、上段タイミングベルト５４の循環によって、上段ガイドレール６０とガイドころ４６，４７との案内によって、上段トレイ台４４が昇降する。これによって、上段積載トレイ１８が、上段トレイ台４４と一体に昇降する。
【００３５】
下段積載トレイ３７は、下段トレイ昇降モータ５７によって昇降するようになっている。下段トレイ昇降モータ５７が回転すると、タイミングベルト５９によってウォームギア５２が回転して、ウォームホイール５３が回転し、下段タイミングベルト５５が循環する。そして、下段タイミングベルト５５の循環によって、下段ガイドレール６１とガイドころ４８，４９との案内によって、下段トレイ台４５が昇降する。これによって、下段積載トレイ３７が、下段トレイ台４５と一体に昇降する。
【００３６】
シート処理装置４００は、上段、下段積載トレイ１８，３７にシートを排出するとき、通常の排出モードの他に、オフセットモードの排出処理も行えるようになっている。オフセットモードは、上段排紙ローラ１１と従動ころ１２とが、或いは下段排紙ローラ３０と従動ころ３１とがシートを挟んでシート搬送方向に対して交差する方向（シートの幅方向）に移動してシートを幅方向にずらして排出する動作モードのことである。従動ころ１２，３１は、上段、下段排紙ローラ１１，３０の移動にともなって、シートを介して追従移動するようになっている。
【００３７】
オフセットモードのとき、シートの前端を上段、下段排紙センサＳ２、Ｓ５を通過すると、不図示のオフセット駆動用モータの駆動により排紙ローラが左右方向に移動して、シートを左右方向へ移動させた後、積載トレイにシートを落下させる。シートの幅方向の整合は図３に示す右整合板３９、左整合板４０によって行われる。
【００３８】
図３に基づいてシートの幅を整合する幅整合装置７２を説明する。幅整合装置７２は、右整合板３９、左整合板４０によってシートの幅（シートの搬送方向に沿ったシートの側端）を整合するようになっている。右整合板３９、左整合板４０は、それぞれ独立して移動するようになっており、シートが排出される度にシートを１枚ずつ揃えるようになっている。
【００３９】
右整合板３９は、右整合板駆動用モータ４１、タイミングベルト６６、ピニオン６７、及びラック６８によって、図３の位置から左側に移動できるようなっている。同様に、左整合板４０は、左整合板駆動用モータ４２、タイミングベルト７６、ピニオン７７、及びラック７８によって、図３の位置から右方向に移動できるようになっている。
【００４０】
右整合板３９には検知板３９ａが設けられている。この検知板３９ａが本体側に設けられているホームポジションセンサＳ６ａの検知部を遮蔽することによって、右整合板３９のホームポジション（ＨＰ）が検知されるようになっている。同様に、左整合板４０には検知板４０ａが設けられている。この検知板４０ａが本体側に設けられているホームポジションセンサＳ６ｂの検知部を遮蔽することによって、左整合板４０のホームポジション（ＨＰ）が検知されるようになっている。
【００４１】
（シート処理装置の制御部）
図４は、シート処理装置の制御ブロック図である。
【００４２】
複写機の装置本体５０１Ａ内の制御部５２０（図１参照）は、画像形成後のシートハンドリングに関するコマンドをシート処理装置４００のＣＰＵ５１０（中央演算処理装置：Ｃｅｎｔｒａｌ  Ｐｒｏｃｅｓｓｉｎｇ  Ｕｎｉｔ）に送信するようになっている。シート処理装置４００のＣＰＵ５１０からはステイタス情報等を複写機の装置本体５０１Ａ内の制御部５２０に返信するようになっている。これらの信号の授受は、インターフェースコントローラ５１１を介して行われる。なお、制御部５２０とＣＰＵ５１０は別々になっているが、一体にして装置本体５０１Ａとシート処理装置４００とのいずれか一方に設けられていてもよい。
【００４３】
ＲＯＭ５１２は、シート処理装置４００のシート積載動作順序等、すなわち、シート積載動作順序に対応する制御プログラム等を記憶している。ＲＡＭ５１４は、動作実行するために必要な情報を記憶しており、作業用メモリとして使用される。
【００４４】
ＥＥＰＲＯＭ５１５は、装置固有のパラメータ、或いは継続的に使用する情報、例えば調整値等を記憶する不揮発性メモリである。
【００４５】
ＣＰＵ５１０の入力ポートには、次の各センサが電気的に接続されている。入口センサＳ１。上段排紙センサＳ２。縦パス第１センサＳ３。縦パス第２センサＳ４。下段排紙センサＳ５。ホームポジションセンサＳ６ａ。ホームポジションセンサＳ６ｂ。上段シート検知センサＳ７。下段シート検知センサＳ８。上段退避位置センサＳ９。下段退避位置センサＳ１０。上段トレイ紙検知センサＳ１１。下段トレイ紙検知センサＳ１２。トレイ切替スイッチ８０。
【００４６】
ＣＰＵ５１０の出力ポートには、搬送用駆動モータ６、排出駆動モータ７、上段トレイ昇降モータ５６、下段トレイ昇降モータ５７、その他のモータ及び駆動用ソレノイド１４、上段ソレノイド１６、下段ソレノイド３３等が電気的に接続されている。
【００４７】
ＣＰＵ５１０は、装置本体５０１Ａの制御部５２０からの情報、ＲＯＭ５１２に記憶してある制御プログラム、ＲＡＭ５１４やＥＥＰＲＯＭ５１５に記憶してある動作実行に必要な情報等に基づいて、モータやソレノイドを作動させるようになっている。また、ＣＰＵ５１０は、入出力ポート（Ｉ／Ｏ）５１６，５１７を介してほぼリアルタイムに読み出し可能な前記各センサＳ１乃至Ｓ１２の検知信号等に基づいて、各モータやソレノイドを作動させる。ＣＰＵ５１０は、駆動部（ドライバ回路）５１８を介して各モータやソレノイドを作動させるようになっている。
【００４８】
次に、上段、下段積載トレイ１８，３７の切り替え動作を説明する。
【００４９】
本装置の外カバーには押しボタン式のトレイ切替スイッチ８０が設けてある。トレイ切替スイッチ８０は、上段積載トレイ１８、若しくは下段積載トレイ３７にシートが積載されている最中に、ユーザに押されると、ＣＰＵ５１０を介して駆動用ソレノイド１４を作動させて、切替部材１３を切り替えるようになっている。
【００５０】
例えば、上段積載トレイ１８にシートを排出しているとき、ユーザがトレイ切り替えスイッチ８０を押すと、駆動用ソレノイド１４が作動して、切替部材１３を回転させる。切替部材１３は、今までシートを上段搬送排出経路６２に案内していたのが、下段搬送排出経路６３へシートを案内するように切り替わる。それ以降、下段積載トレイ３７にシートが搬送されて積載され、上段積載トレイ１８への積載動作は停止する。
【００５１】
このように、シート処理装置４００は、１つのジョブのシートの積載を上段積載トレイ１８から下段積載トレイ３７に切り替えることができるので、そのジョブのシートの積載が終了しなくても、ユーザが、シートを容易に取り出すことができる。また、シートを取り出しても、そのとき、シートが積載されている積載トレイは、他の積載トレイであるので、シートの整合が乱されることがない。
【００５２】
ただし、トレイ切替スイッチ８０を押したとき、もう一方のトレイが積載満載などによって積載できない状態にある場合、ＣＰＵ５１０は、積載するトレイを切り替えないようにしている。トレイの満載は、上段、下段トレイ昇降モータ５６，５７のパルスによって上段、下段積載トレイ１８，３７の昇降位置を検知し、シートの上面をシート検知センサＳ７，Ｓ８が検知することによって、ＣＰＵ５１０が判断するようになっている。
【００５３】
以上説明したように、シート処理装置４００は、主に、次の構成から成り立っている。外部からシートが送り込まれる搬入口である例えば搬入ローラ対１５。搬入ローラ対１５に送り込まれたシートを分岐案内する分岐パスである例えば上段搬送排出経路６２及び下段搬送排出経路６３。上段搬送排出経路６２及び下段搬送排出経路６３の終端６２ａ，６３ａ毎に配設されて、終端６２ａ，６３ａから排出されたシートが積載される昇降可能な複数のシート積載手段である例えば上段積載トレイ１８、下段積載トレイ３７。上段搬送排出経路６２及び下段搬送排出経路６３の分岐部６４で切り替え動作によって上段搬送排出経路６２及び下段搬送排出経路６３を選択する切替手段である例えば切替部材１３。切替部材を手動操作により切り替える操作手段である例えばトレイ切替スイッチ８０。なお、切替部材を手動操作により切り替えるとは、ユーザがトレイ切替スイッチ８０を手動で操作することによって、駆動用ソレノイド１４が作動し、切替部材１３が切り替わることである。
【００５４】
このような構成のシート処理装置４００は、トレイ切替スイッチ８０によって、駆動用ソレノイド１４を作動させて、切替部材１３を切り替え、上段積載トレイ１８から、下段積載トレイ３７に後続のシートを積載できるようになっている。また、逆に、下段積載トレイ３７から上段積載トレイ１８に積載を変えることもできる。したがって、シート処理装置は、１つのジョブのシートの積載が終了する前に、上段積載トレイ１８（下段積載トレイ３７）からシートを取り出したい場合、切替部材１３を切り替えて、シートを下段積載トレイ３７（上段積載トレイ１８）に積載することができる。
【００５５】
このように、シート処理装置４００は、ユーザが任意のタイミングでシートの整合性を乱すことなくシートを容易に取り出すことができるようになっている。さらに、切替部材１３を切り替えることによって、上段、下段積載トレイ１８，３７に連続してシートを積載することができて、積載処理効率を高めることができる。
【００５６】
また、複写機５０１は、積載処理効率を高めることができるシート処理装置４００を備えているので、画像形成効率を高めることができる。
【図面の簡単な説明】
【００５７】
【図１】本発明のシート処理装置を装置本体に備えた画像形成装置の一例である複写機の概略正面断面図である。
【図２】本発明の実施形態におけるシート処理装置のシート搬送方向に沿った断面図である。
【図３】図２のシート処理装置において、シートの幅を整合する幅整合装置の平面図である。
【図４】シート処理装置の制御ブロック図である。
【符号の説明】
【００５８】
Ｓ１      入口センサ
１３      切替部材（切替手段）
１４      駆動用ソレノイド
１５      搬入ローラ対（搬入口）
１８      上段積載トレイ（シート積載手段）
３７      下段積載トレイ（シート積載手段）
６２      上段搬送排出経路（分岐パス）
６２ａ    上段搬送排出経路の終端
６３      下段搬送排出経路（分岐パス）
６３ａ    下段搬送排出経路の終端
６４      分岐部
８０      トレイ切替スイッチ（操作手段）
２０２      感光ドラム（画像形成手段）
４００      シート処理装置
５０１      複写機
５０１Ａ    装置本体
５１０      ＣＰＵ
５２０      制御部
【図１】
2009120334.tif 000003
【図２】
2009120334.tif 000004
【図３】
2009120334.tif 000005
【図４】
2009120334.tif 000006